(57)【要約】【課題】接合金具を介して床パネル２に対して垂直方向に第２の構造躯体と第３の構造躯体を連結固定するようにした木造建築物の構造躯体の接合構造において、床パネル２に過度の圧縮力がかかることを防止するようにした木造建築物の構造躯体の接合構造を提供すること。【解決手段】床パネル２内部に両端に雄ネジ部１４を備えたラグスクリューボルト１１をねじ込んで埋設する。その状態で床パネル２の上下面２ａ、２ｂから突出するラグスクリューボルト１１の雄ネジ部１４に対してネジ付き座金１５をそれぞれ螺合させてネジ付き座金１５を床パネル２の座堀り孔２２、２３内に密着させる。次いで、各ネジ付き座金１５の外面位置にそれぞれ接合金具５のベースプレート６を配置させナット２５とネジ付き座金１５との間に接合金具５を固定し、接合金具５を介して壁パネルを接合させる。【選択図】図８
2018021401.tif 000002
【特許請求の範囲】
【請求項１】
第１の構造躯体の上下面にそれぞれ金属製の接合金具を固定し、前記接合金具を介して垂直方向に第２の構造躯体と第３の構造躯体を連結固定するようにした木造建築物の構造躯体の接合構造において、
前記第１の構造躯体内部に両端に雄ネジ部を備えた１又は複数の棒状体を移動不能に埋設し、埋設状態において前記第１の構造躯体の上下面から前記雄ネジ部をそれぞれ突出させ、
前記各雄ネジ部に対して第１の雌ネジ部材をそれぞれ螺合させ、前記雄ネジ部の軸方向に沿って移動させることで前記第１の雌ネジ部材を前記第１の構造躯体に密着させ、
前記各第１の雌ネジ部材の外面位置にそれぞれ前記接合金具の連結部を当接して配置し、配置状態で前記連結部の透孔から外側に突出する前記雄ネジ部に対して第２の雌ネジ部材を螺合させ、前記第２の雌ネジ部材を前記雄ネジ部の軸方向に沿って移動させて前記接合金具の連結部を前記第１の雌ネジ部材との間で締め付けることで前記接合金具を固定するようにしたことを特徴とする木造建築物の構造躯体の接合構造。
【請求項２】
前記接合金具の連結部は前記第１の構造躯体に接触していないことを特徴とする請求項１に記載の木造建築物の構造躯体の接合構造。
【請求項３】
前記第１の雌ネジ部材は中央の透孔の内周面に雌ネジ面が形成された板状体であることを特徴とする請求項１又は２に記載の木造建築物の構造躯体の接合構造。
【請求項４】
前記第１の雌ネジ部材は前記透孔寄りほど厚く形成されていることを特徴とする請求項３に記載の木造建築物の構造躯体の接合構造。
【請求項５】
第１の構造躯体の上下面にそれぞれ金属製の接合金具を固定し、前記接合金具を介して垂直方向に第２の構造躯体と第３の構造躯体を連結固定するようにした木造建築物の構造躯体の接合構造において、
前記第１の構造躯体内部に１又は複数の棒状体を移動不能に埋設するとともに、その埋設状態で前記棒状体が前記第１の構造躯体の上下面からそれぞれ突出する部分を有するようにし、
前記棒状体の前記突出する部分に前記接合金具を前記第１の構造躯体に接触しないように固定したことを特徴とする木造建築物の構造躯体の接合構造。
【請求項６】
前記第２の構造躯体及び前記第３の構造躯体を前記前記接合金具を介して連結固定した際に前記第２の構造躯体は前記第１の構造躯体に接触しないことを特徴とする請求項５に記載の木造建築物の構造躯体の接合構造。
【請求項７】
前記棒状体はその外周の雄ネジ面が前記第１の構造躯体に形成された透孔の内周の雌ネジ面との間で螺合関係を有して埋設されていることを特徴とする請求項１〜５のいずれかに記載の木造建築物の構造躯体の接合構造。
【請求項８】
前記棒状体はラグスクリューボルトであり、前記第１の構造躯体に形成された案内孔の内壁に対してラグスクリュー部を食い込ませるように埋設されていることを特徴とする請求項７に記載の木造建築物の構造躯体の接合構造。
【請求項９】
前記接合金具は固定状態において前記棒状体の軸方向に平行な方向に延出され、前記第２の構造躯体又は前記第３の構造躯体側に挿入される挿入プレートを有していることを特徴とする請求項１〜８のいずれかに記載の木造建築物の構造躯体の接合構造。
【請求項１０】
前記第２の構造躯体及び第３の構造躯体は直交集成板であって、前記挿入プレートは前記直交集成板を構成する板層に沿ってその面方向が配設されること特徴とする請求項１〜９のいずれかに記載の木造建築物の構造躯体の接合構造。
【請求項１１】
前記第１の構造躯体は直交集成板であって、前記棒状体は前記直交集成板を構成する板層に沿った方向に対して直交する方向が軸方向となるように埋設されることを特徴とする請求項１〜１０のいずれかに記載の木造建築物の構造躯体の接合構造。
【請求項１２】
請求項１〜１１のいずれかの木造建築物の構造躯体の接合構造を使用して前記第１の構造躯体の上面に配置される前記第２の構造躯体が当該階層よりも１つ上層の前記第１の構造躯体の下面に配置される前記第３の構造躯体となるように積層配置されていることを特徴とする木造建築物。
【発明の詳細な説明】
【技術分野】
【０００１】
本発明は第１の構造躯体の上下面にそれぞれ金属製の接合金具を固定し、接合金具を介して垂直方向に第２の構造躯体と第３の構造躯体を連結固定するようにした木造建築物の構造躯体の接合構造に関するものである。
【背景技術】
【０００２】
従来から木造建築物の隣接する構造躯体を連結固定するため、構造躯体の接合面に接合金具を配置することが行われている。
このような接合構造が開示された文献として特許文献１及び２を示す。特許文献１では構造躯体としての梁１１の上に同じく構造躯体としての管柱１２を連結するために接合金具としてのＴ字金具１３を配置した接合構造が開示されている。また、例えば特許文献２では構造躯体としてのしての基礎１５の上に同じく構造躯体としての柱２２を連結するために接合金具としての柱脚用接合金具を配置した接合構造が開示されている。
【先行技術文献】
【特許文献】
【０００３】
【特許文献１】特開２０００−６４４２６号公報
【特許文献２】特開２０１３−１６７１３３号公報
【発明の概要】
【発明が解決しようとする課題】
【０００４】
これら特許文献１及び２の接合金具は接合金具を使用しない構造に比べると段違いな接合強度で構造躯体を接合することができる。このような接合構造として、第１の構造躯体の上下面にそれぞれ金属製の接合金具を固定し、接合金具を介して第２の構造躯体と第３の構造躯体を連結固定するケースがある。このような接合構造として図１２に示す。図１２は、第１の構造躯体１００（例えば床パネルや梁等）に対して第２の構造躯体１０１と第３の構造躯体１０２（例えば壁パネルや柱等）がＴ字状の外形の接合金具１０３によって接合された木造建築物の構造躯体の接合構造である。第１の構造躯体１００には上下に連通する透孔１０４が形成されている。透孔１０４にはボルト１０５が挿通され、上下の接合金具１０３はボルト１０５と交差するように第１の構造躯体１００に対して配置され、ボルト１０５に螺合されたナット１０５によって第１の構造躯体１００を間に介在させて締め付け固定されている。
このような木造建築物の構造躯体の接合構造において、矢印のように第２の構造躯体１０１から第１の構造躯体１００方向に圧縮力が作用するとそのほとんどの圧縮力は第１の構造躯体１００に集中することとなる。そのため、第１の構造躯体１００にはそのような圧縮力に対する十分な耐力が求められるわけであるが、材質が一定しなければ第１の構造躯体１００の耐力も安定せず構造体の強度計算も困難となってしまう。また、材質が一定していても繊維方向と直交する方向への過大な圧縮力がかかることは材のめり込み等の変形が生じる要因となってしまい構造体の強度への影響と点からも好ましくない。特にこのような接合構造が上下に複数段積み重なるような多層階の構造物では下層階の第１の構造躯体１００にかかる荷重が非常に大きくなってしまうため問題である。
本発明の目的は、接合金具を介して第１の構造躯体に対して垂直方向に第２の構造躯体と第３の構造躯体を連結固定するようにした木造建築物の構造躯体の接合構造において、第１の構造躯体に過度の圧縮力がかかることを防止するようにした木造建築物の構造躯体の接合構造を提供することである。
【課題を解決するための手段】
【０００５】
上記目的を達成するために、手段１として、第１の構造躯体の上下面にそれぞれ金属製の接合金具を固定し、前記接合金具を介して垂直方向に第２の構造躯体と第３の構造躯体を連結固定するようにした木造建築物の構造躯体の接合構造において、前記第１の構造躯体内部に両端に雄ネジ部を備えた１又は複数の棒状体を移動不能に埋設し、埋設状態において前記第１の構造躯体の上下面から前記雄ネジ部をそれぞれ突出させ、前記各雄ネジ部に対して第１の雌ネジ部材をそれぞれ螺合させ、前記雄ネジ部の軸方向に沿って移動させることで前記第１の雌ネジ部材を前記第１の構造躯体に密着させ、前記各第１の雌ネジ部材の外面位置にそれぞれ前記接合金具の連結部を当接して配置し、配置状態で前記連結部の透孔から外側に突出する前記雄ネジ部に対して第２の雌ネジ部材を螺合させ、前記第２の雌ネジ部材を前記雄ネジ部の軸方向に沿って移動させて前記接合金具の連結部を前記第１の雌ネジ部材との間で締め付けることで前記接合金具を固定するようにした。
このような構成とすることで、上側の第２の構造躯体内の接合金具からの下方への圧縮力は上側の第１の雌ネジ部材から棒状体に伝達され、更に棒状体から下側の第１の雌ネジ部材を介して下側の第３の構造躯体内の接合金具へと伝達されるため、第１の構造躯体に過大な圧縮力がかかることがなく、第１の構造躯体にめり込み等の変形が生じるおそれがなくなる。
【０００６】
ここに「構造躯体」とは、木造建築物を建築する際の骨組み（架構を構成する部材）にあたる部分であって、基礎、壁、柱、横架材(梁、桁等)、土台、母屋等を広くいう。また、ムクの木でも集成材、例えば、ＣＬＴ（Cross Laminated Timber）と称される直交集成板であってもよい。第２の構造躯体は１つ上の階層の第１の構造躯体を基準とした場合には第３の構造躯体となる。
第１の構造躯体内部に埋設される「棒状体」は、例えば第１の構造躯体に形成された透孔内に固定されていればよいが、施工の簡便さから案内孔にねじ込んで螺合させることのできる雄ネジ体から構成されることがよく、特にラグスクリューボルトがよい。
第１の雌ネジ部材は棒状体の雄ネジ部に螺合される雌ネジ部を有する環状体であって外面に接合金具の連結部を当接させることができれば形状は問わない。
また、「接合金具」は１つの接合金具を１つの棒状体に連結固定するようにしてもよく、１つの接合金具を複数の棒状体に連結固定するようにしてもよい。
また、手段２として、前記接合金具の連結部は前記第１の構造躯体に接触していないようにした。
これは基本的に接合金具の連結部が第１の雌ネジ部材に当接するという構造であるため、第１の雌ネジ部材が第１の構造躯体の外面に配置されればそのような構成になることを確認的にクレームしたものである。尚、第１の構造躯体に座堀りして第１の雌ネジ部材を一定量第１の構造躯体内部に埋め込む場合には接合金具が第１の構造躯体に接触するケースがあり得ることは手段１は排除していない。
また、ここで「接触していない」とは当初全部あるいは一部が接触していても経年使用することで第１の構造躯体が痩せて接合金具の連結部が第１の構造躯体に接触しなくなるケースも含んでいる。
【０００７】
また、手段３として、前記第１の雌ネジ部材は中央の透孔の内周面に雌ネジ面が形成された板状体であるようにした。
これは第１の雌ネジ部材の形態の具体例をクレームしたものである。このように扁平に構成することによって当接させる接合金具の安定性が向上する。板状体は円板であることがよい。
また、手段４として、前記第１の雌ネジ部材は前記第１の構造躯体を向いた側が前記透孔寄りほど厚く形成されているようにした。
これによって、軽量化が図れると同時に最も圧縮力が大きくなる透孔寄りの曲げ応力を向上させることができる。また、この際に接合金具の連結部を当接させる側は平面とし、第１の構造躯体を向いた側をテーパ状に変化させるようにすることが当接させる接合金具の安定性の点からよい。
【０００８】
また、手段５として、第１の構造躯体の上下面にそれぞれ金属製の接合金具を固定し、前記接合金具を介して垂直方向に第２の構造躯体と第３の構造躯体を連結固定するようにした木造建築物の構造躯体の接合構造において、前記第１の構造躯体内部に１又は複数の棒状体を移動不能に埋設するとともに、その埋設状態で前記棒状体が前記第１の構造躯体の上下面からそれぞれ突出する部分を有するようにし、前記棒状体の前記突出する部分に前記接合金具を前記第１の構造躯体に接触しないように固定した。
このように上下の接合金具を第１の構造躯体に接触させないようにして棒状体に連結するようにすると、下方への圧縮力は上側の第２の構造躯体内の接合金具から第１の構造躯体内の棒状体に伝達され、更に棒状体から下側の第３の構造躯体内の接合金具へと伝達されるため、第１の構造躯体に過大な圧縮力がかかることがなく、第１の構造躯体にめり込み等の変形が生じるおそれがなくなる。
また、手段６として、前記第２の構造躯体及び前記第３の構造躯体を前記前記接合金具を介して連結固定した際に前記第２の構造躯体は前記第１の構造躯体に接触しないようにした。
これによって第２の構造躯体から第１の構造躯体に圧縮力が伝達されることが防止される。ここでは上方からの荷重と第１の構造躯体に伝達させないために第２の構造躯体を第１の構造躯体に接触しないように構成したが、第３の構造躯体を第１の構造躯体に接触しないようにすることもよい。
【０００９】
また、手段７として、前記棒状体はその外周の雄ネジ面が前記第１の構造躯体に形成された透孔の内周の雌ネジ面との間で螺合関係を有して埋設されているようにした。
これは棒状体の形態の具体例をクレームしたものであって、雄ネジ体の雄ネジ面と透孔（つまり案内孔）の内周の雌ネジ面とで第１の構造躯体内部で保持されるようにしたものであり、これによって棒状体の施工が容易に行え、かつ第１の構造躯体内部でしっかりと保持されることとなる。
また、手段８として、前記棒状体はラグスクリューボルトであり、前記第１の構造躯体に形成された案内孔の内壁に対してラグスクリュー部を食い込ませるように埋設されているようにした。
これは雄ネジ体である棒状体の形態の具体例をクレームしたものであって、これによってよりしっかりと棒状体は第１の構造躯体内部で保持されることとなる。
【００１０】
また、手段９として、前記接合金具は固定状態において前記棒状体の軸方向に平行な方向に延出され、前記第２の構造躯体又は前記第３の構造躯体側に挿入される挿入プレートを有しているようにした。
このような挿入プレートが第２の構造躯体又は前記第３の構造躯体側に挿入され、第２の構造躯体又は前記第３の構造躯体と固定ピンによって固定されることによって引っ張り力（引き抜き力）や圧縮力が上下方向に伝達されることとなる。挿入プレートは１つの接合金具において複数の挿入プレートを設けるようにしてもよく、複数の接合金具それぞれに１枚の挿入プレートを設けるようにしてもよい。
また、手段１０として、記第２の構造躯体及び第３の構造躯体は直交集成板であって、前記挿入プレートは前記直交集成板を構成する板層に沿ってその面方向が配設されるようにした。
つまり、第２の構造躯体及び第３の構造躯体が直交集成板の場合には直交集成板を横切って切断しないように挿入プレートは直交集成板を構成する板層に沿って延出させるようにしている。これによって直交集成板の強度が低下しないようにする。
また、手段１１として、前記第１の構造躯体は直交集成板であって、前記棒状体は前記直交集成板を構成する板層に沿った方向に対して直交する方向が軸方向となるように埋設されるようにした。
つまり、第１の構造躯体が直交集成板の場合には棒状体は直交集成板を構成する板層に沿った方向に対して直交する方向（強軸層と弱軸層を横切るように）に配置される。これは本発明の構造では第１の構造躯体が寝た状態で配置されることを意味している。
また、手段１〜１１のいずれかの木造建築物の構造躯体の接合構造を使用して前記第１の構造躯体の上面に配置される前記第２の構造躯体が当該階層よりも１つ上層の前記第１の構造躯体の下面に配置される前記第３の構造躯体となるように積層配置されている木造建築物を構築するようにした。
これによって多層階の木造建築物を構築する際に特に下層階の第１の構造躯体に圧縮方向の大きな荷重がかかることがなくなるため、材のめり込み等の変形が生じることがなくなり多層階の木造建築物の構築が可能となる。
【発明の効果】
【００１１】
本発明によれば、第１の構造躯体に過大な圧縮力がかかることがなく、第１の構造躯体にめり込み等の変形が生じるおそれがなくなる。
【図面の簡単な説明】
【００１２】
【図１】本発明の実施形態の木造建築物の構造躯体の接合構造を使用した木造建築物の一部切り欠き斜視図。
【図２】実施の形態の木造建築物の構造躯体の接合構造において使用する接合金具の斜視図。
【図３】実施の形態の木造建築物の構造躯体の接合構造において使用するラグスクリューボルトであって（ａ）は正面図、（ｂ）は縦断面図、（ｃ）は側面図。
【図４】実施の形態の木造建築物の構造躯体の接合構造において使用するネジ付き座金であって（ａ）は斜視図、（ｂ）は部分断面図。
【図５】実施の形態の木造建築物の構造躯体の接合構造における接合位置の床パネルの断面図。
【図６】図５の床パネルにラグスクリューボルトを埋設した状態の断面図。
【図７】図６の状態のラグスクリューボルトにネジ付き座金を螺合させ床パネルの堀り孔内に収容させた状態の一部省略断面図。
【図８】図７の状態のネジ付き座金に接合金具を連結固定する説明図。
【図９】（ａ）は床パネルに連結固定された下側の接合金具に壁パネルを接続する途中の状態を説明する説明図、（ｂ）は床パネルに連結固定された下側の接合金具に壁パネルを接続した後、ドリフトピンで固定する状態を説明する説明図。
【図１０】図１の円で囲われた部分の床パネルと壁パネルの接合状態を説明する説明図。
【図１１】他の実施の形態で使用する接合金具の斜視図。
【図１２】従来の木造建築物の構造躯体の接合構造において床パネルにラグスクリューボルトを介して接合金具を連結固定した状態の断面図。
【発明を実施するための形態】
【００１３】
以下、本発明の一実施の形態である木造建築物の構造躯体の接合構造について図面に基づいて説明する。
図１は本発明の接合構造を使用して構築された木造建築物１である。実際にはこのスケルトンの架構状態に外装材及び内装材が配設される。この木造建築物１は第１の構造躯体としての床パネル２と第２の構造躯体及び第３の構造躯体としての壁パネル３を組み合わせて構築されている。隣接する壁パネル３間の上部寄りには桁パネル４が配設されている。本実施の形態では床パネル２は長さ３０００ｍｍ、幅１０００ｍｍ、厚み２１０ｍｍの基準となる直方体形状の７層構造のＣＬＴパネルを適時カットして使用している。また、壁パネル３は長さ３０００ｍｍ、幅１０００ｍｍ、厚み１５０ｍｍの基準となる直方体形状の５層構造のＣＬＴパネルを適時カットして使用している。床パネル２は長さ及び幅方向が水平となるように（つまり、厚み方向が垂直方向となるように）配置され、長さ及び幅方向が垂直方向となる壁パネル３によって上下方向において挟まれている。木造建築物１は下層階から順に本発明の接合構造によって床パネル２と壁パネル３が接合されていく。木造建築物１ではすべての床パネル２と壁パネル３との接合部分に本発明の接合構造が適用されているが、以下では一例として図１の円Ｐで囲んだ位置の具体的な接合方法と接合構造を説明するものとする。
【００１４】
まず、床パネル２に壁パネル３を接合するために使用する主要な部材（金具）について説明する。
図２は床パネル２と壁パネル３とを接合するために使用される接合金具５である。接合金具５は一辺１２０ｍｍの正方形形状の外観の連結部としてのベースプレート６と、ベースプレート６上面の左右方向中央位置において上方に延出される略長方形形状の挿入プレート７によって正面Ｔ字形状となる基本骨格を構成している。挿入プレート７はベースプレート６と同幅で２．５倍程度の長さ（３００ｍｍ）とされている。挿入プレート７はベースプレート６に対して溶接によって固着されている。挿入プレート７の上端寄りには左右方向の２カ所に前後に連通するピン孔８が形成されている。挿入プレート７のベースプレート６との連結位置に面した中央位置には前後方向に連通するアーチ状の切り欠き部９が形成されている。ベースプレート６の中央位置、つまり切り欠き部９と交差する位置には表裏に連通する透孔１０が形成されている。接合金具５は図２の状態で床パネル２の上面に設置され、上下反転させることで床パネル２の下面に設置される。
図３（ａ）〜（ｃ）は床パネル２と壁パネル３とを接合するために使用されるラグスクリューボルト１１である。ラグスクリューボルト１１は全長の７０％程度を占めるラグスクリュー部１２と、ラグスクリュー部１２の軸方向の一側に隣接して形成されたナット部１３と、軸方向両端に形成されたボルト部１４とから構成されている。ラグスクリューボルト１１は床パネル２内に埋設される。
図４（ａ）（ｂ）はネジ付き座金１５である。ネジ付き座金１５は円板形状（正確には高さの小さな円錐台形状と円板の組み合わせ形状）に構成され、その中心に透孔１６が形成されている。透孔１６の内周面には雌ネジ部１７が螺設されている。ネジ付き座金１５には透孔６を挟んで１８０度対向する位置に１対の断面円形の小透孔１８が透設されている。小透孔１８は図示しないジグによってネジ付き座金１５を回動させる際の係合部とされる。ネジ付き座金１５の表面１５ａは平面に構成されており、裏面１５ｂは円錐台形状の斜面部分であるため透孔１６寄りほど肉厚となるように（つまり中心から放射状に外側に向かって下がるような斜面に）構成されている。ネジ付き座金１５の最外周部分は数ミリ幅（本実施の形態では５ｍｍ）で外周を真円形状に取り巻く鉢巻き部１９が形成されている。
【００１５】
次に床パネル２の壁パネル３接合予定位置に接合金具５を固定する工程について説明する。
前提として床パネル２の壁パネル３を接合する位置には図５に示すように案内孔２１と座堀り孔２２、２３が形成されている。案内孔２１は床パネル２の表裏面２ａ、２ｂに対して垂直方向となる厚み方向にラグスクリューボルト１１のラグスクリュー部１２の谷径よりも若干小さな内径となるように形成されている。
座堀り孔２２、２３はネジ付き座金１５の裏面１５ｂの斜面形状に一致する中心に向かって放射状に下がるような斜面に構成されている。上側の座堀り孔２２は下側の座堀り孔２３よりも中央寄りが深く円筒形状に座堀りされており、ラグスクリューボルト１１を埋設する際にナット部１３を包囲してねじ込みする際の図示しないジグ（例えばインパクトレンチ）の収容領域を確保している。
このような床パネル２に対して作業者は、まず図６に示すようにラグスクリューボルト１１を図示しないジグによってナット部１３を保持し、床パネル２の上方から案内孔２１に沿ってラグスクリュー部１２を案内孔２１の内壁面に食い込ませるように埋設する。ナット部１３が上側の座堀り孔２２の底に当接した状態で埋設が完了する。この状態で床パネル２の上下面からはボルト部１４の先端寄り側が突出することとなる。
次いで作業者は図７に示すように上下のボルト部１４にネジ付き座金１５を螺合させ、ボルト部１４の軸線方向に沿って床パネル２方向に移動させる。そして、図示しないジグによってネジ付き座金１５を締め付け方向に回動させてネジ付き座金１５の裏面１５ｂがそれぞれ上下の座堀り孔２２、２３内に密着されるように締め付けるようにする。この密着状態で上側のネジ付き座金１５はちょうどラグスクリューボルト１１とボルト部１４との境界位置に進出する。これらネジ付き座金１５を固定した状態でネジ付き座金１５の鉢巻き部１９のみが床パネル２の外面（表裏面２ａ、２ｂ）から外方に突出する。つまり、ネジ付き座金１５の外寄りの部分が一部床パネル２の外面から突出することとなる。
【００１６】
次いで、作業者は図８に示すように床パネル２の表裏面両側から接合金具５のベースプレート６をネジ付き座金１５の表面１５ａ上にベースプレート６をその透孔１０からボルト部１４が露出するように載置する。表面１５ａとベースプレート６の裏面は共に平面で構成されているため、両者は密着する。そして、公知のナット２５を上下のボルト部１４に螺合させ、ボルト部１４の軸線方向に沿ってベースプレート６方向に移動させる。そして、図示しないレンチによってナット２５を締め付け方向に回動させてベースプレート６をナット２５とネジ付き座金１５の間でしっかりと締め付け固定する。この状態で接合金具５の床パネル２への固定作業が完了する。本実施の形態では間隔を空けて床パネル２の２箇所にこのようにラグスクリューボルト１１を埋設し、それぞれの位置で表裏面に接合金具５を連結固定する。この間隔は壁パネル３に形成された２つのスリット２８の間隔に対応している。
【００１７】
木造建築物１の構築に当たっては下層階から順に構築していくため、先に下側の壁パネル３から床パネル２に接合させる工法を採用する（もちろん上下から同時に壁パネル３を床パネル２に接近させるような工法であってもよい）。この状態で図９（ａ）のようにまず下方向の壁パネル３を接近させ、壁パネル３の端部３ａに形成したスリット２８に接合金具５の挿入プレート７を挿入させる。壁パネル３の端部３ａが接合金具５に当接した状態で挿入プレート７のピン孔８は壁パネル３に形成されたピン孔２９と照合される。そして、図９（ｂ）に示すように公知のドリフトピン３０を照合されたピン孔８、２９に打ち込むことで壁パネル３は固定される。その後、当該床パネル２と同じ階及び下側の階の構築が概ね終了した段階で図９（ａ）（ｂ）に準じて上側から壁パネル３を床パネル２に接合させるようにする。
このように床パネル２の表裏面に壁パネル３が接合された状態においては接合金具５のベースプレート６は床パネル２に当接せず、図１０に示すようにベースプレート６上に載置されて壁パネル３も床パネル２に当接することはない。尚、図１０では壁パネル３と床パネル２との間隔が開いていることを強調すべく若干広めに間隔が描かれている。
【００１８】
このように構成することで上記実施の形態では次のような効果が奏される。
（１）上方側の壁パネル３側から接合金具５を介して下方にかかる圧縮力は上側のネジ付き座金１５からラグスクリューボルト１１に伝達され、更に下側のネジ付き座金１５から下側の接合金具５に伝達されるようになっている。また、接合金具５はネジ付き座金１５によって床パネル２には接触せず僅かに浮いた状態で支持される。このため、床パネル２には圧縮力が伝達されずに迂回してしまうため、過大な圧縮力が生じても床パネル２がめり込んで変形してしまうことがない。
（２）ネジ付き座金１５は中心寄りが厚くなっているため接合金具５から伝わる圧縮力が最も大きくなる透孔寄りの曲げ応力を向上させることができる。一方、中心から離れた位置は相対的に圧縮力は小さくなるため中心寄りよりも相対的に薄くすることで重量軽減が図られている。
（３）接合金具５のベースプレート６の一辺は壁パネル３の厚みよりも短いため、装着状態でベースプレート６が壁パネル３から外方にはみ出ることはない。
【００１９】
上記実施の形態は本発明の原理およびその概念を例示するための具体的な実施の形態として記載したにすぎない。つまり、本発明は上記の実施の形態に限定されるものではない。本発明は、例えば次のように変更した態様で具体化することも可能である。
・上記実施の形態では一例として図１において木造建築物１の円Ｐで囲んだ位置の接合構造について説明したが、他の位置やこの木造建築物１以外の木造建築物に適用することが可能である。
・床パネル２や壁パネル３の基準となるサイズについては上記は一例である。
・上記実施の形態では床パネル２に対して壁パネル３を接合する場合に間隔を空けて２つの接合金具５を配置するようにしていた。つまり、ラグスクリューボルト１１を壁パネル３の接合位置に沿って２本配置するようにしていた。しかし、壁パネル３の幅に応じて壁パネル３に沿って配置されるラグスクリューボルト１１（接合金具５）の数を適宜変更（１又は３以上）とすることは可能である。
・上記実施の形態では床パネル２に対して壁パネル３を接合する場合に間隔を空けて２つの接合金具５を配置するようにしていた。しかし、図１１に示すように接合金具３１を構成して１つの接合金具３１だけで壁パネル３を接合するようにしてもよい。接合金具３１は上記実施の形態の接合金具５を２つ接合したような外形で、挿入プレート３２にはアーチ状の切り欠き部３３が２つ形成されている。ベースプレート３４にはラグスクリューボルト１１を挿通させるために切り欠き部３３位置に面してそれぞれ透孔３５が形成されている。挿入プレート３２には壁パネル３に固定する際にドリフトピンを嵌合させるピン孔３６が形成されている。本実施の形態の壁パネル３ではラグスクリューボルト１１を複数配置し、そのラグスクリューボルト１１毎に接合金具５を連結するようにしていたが、このような構成の接合金具３１を使用することで複数のラグスクリューボルト１１に対して１つのみで足り、２本のラグスクリューボルト１１に接合金具３１を連結して使用することで壁パネル３を接合させることができる。
・上記床パネル２や壁パネル３はＣＬＴパネルを使用したが、ＣＬＴパネル以外の集成材やムクの材を使用するようにしてもよい。
・上記では第１の構造躯体として床パネル２としていたが、天井パネルにこの発明を適用するようにしてもよい。
・上記では棒状体としてラグスクリューボルト１１を使用したが、第１の構造躯体内部に上下方向に移動できないように埋設できるのであれば、ラグスクリューボルト１１に限定はされない。例えば、ボルト部材を使用したりエポキシ系接着剤を使用して棒状体を固定したりするようにしてもよい。
・壁パネル３に形成されるスリット２８は接合金具側の挿入プレートの形状や位置によって適宜変更して形成される。
・ネジ付き座金１５は上記では高さの小さな円錐台形状と円板の組み合わせ形状であったが、上記のように裏面１５ｂを斜面形状にせずにネジ付き座金１５を表裏面２ａ、２ｂが平行な円板形状としてもよい。
・上記ではネジ付き座金１５の鉢巻き部１９のみが床パネル２の外面（表裏面２ａ、２ｂ）から外方に突出するように構成されていた。この突出量は変更可能である。また、当初ネジ付き座金１５を床パネル２の外面からはみ出さないように構成し、その後第１の構造躯体としての床パネル２が経年使用で材が痩せることを見越してネジ付き座金１５を床パネル２の外面から外方に突出するように構成するようにしてもよい。
・その他本発明はその趣旨を逸脱しない態様で変更して実施することは自由である。
【符号の説明】
【００２０】
２…床パネル、３…第２及び第３の構造躯体としての壁パネル、５…接合金具、１１…棒状体としてのラグスクリューボルト、１４…雄ネジ部、１５…第１の雌ネジ部材としてのネジ付き座金、２５…第２の雌ネジ部材としてのナット。
【図１】
2018021401.tif 000003
【図２】
2018021401.tif 000004
【図３】
2018021401.tif 000005
【図４】
2018021401.tif 000006
【図５】
2018021401.tif 000007
【図６】
2018021401.tif 000008
【図７】
2018021401.tif 000009
【図８】
2018021401.tif 000010
【図９】
2018021401.tif 000011
【図１０】
2018021401.tif 000012
【図１１】
2018021401.tif 000013
【図１２】
2018021401.tif 000014